(57)【要約】【課題】本明細書は、換気装置と暖房装置を組み合わせた空調システムに関し、換気装置が作動しているときでも換気装置が停止している場合と同様に部屋を速やかに暖めることができる技術を提供する。【解決手段】空調システム２は、部屋４１を換気する換気装置５と、部屋４１を暖める暖房装置３と、換気装置５と暖房装置３を制御する制御装置４を備える。制御装置４は、暖房装置３を起動したときに換気装置５が作動中の場合、次の（１）の処理または（２）の処理を実行する。（１）前記換気装置の換気能力を所定時間の間下げる。（２）前記暖房装置の暖房能力を所定時間の間、前記換気装置が停止していた場合に実現予定の暖房能力よりも高める。【選択図】図１
2017219245.tif 000002
【特許請求の範囲】
【請求項１】
部屋を換気する換気装置と、
前記部屋を暖める暖房装置と、
前記換気装置と前記暖房装置を制御する制御装置と、
を備えており、
前記制御装置は、前記暖房装置を起動したときに前記換気装置が作動中の場合、
（１）前記換気装置の換気能力を所定時間の間下げる、
又は、
（２）前記暖房装置の暖房能力を所定時間の間、前記換気装置が停止していた場合に実現予定の暖房能力よりも高める、
ことを特徴とする空調システム。
【請求項２】
前記制御装置は、前記暖房装置を起動した後の所定時間後に、前記暖房装置の設定温度と前記部屋の温度との差が所定の第１温度差閾値より大きい場合、前記部屋の換気状態の確認を促すメッセージを出力する、ことを特徴とする請求項１に記載の空調システム。
【請求項３】
前記暖房装置は、温水を熱源とする床暖房装置であることを特徴とする請求項１又は２に記載の空調システム。
【発明の詳細な説明】
【技術分野】
【０００１】
本明細書が開示する技術は、空調システムに関する。
【背景技術】
【０００２】
暖房装置と他の装置を組み合わせて快適な住居空間を実現するシステムが提案されている。例えば、特許文献１には、床暖房パネルと湿度調節器を組み合わせた床暖房システムが開示されている。その床暖房システムは、床暖房パネルの設定温度と室温に基づいて湿度を調整することにより快適な室内環境を実現する。
【０００３】
また、特許文献２には、風呂設備と浴室の電動窓と換気扇を組み合わせた自動風呂システムが開示されている。そのシステムは、設定された入浴終了時刻になると、電動窓を開くとともに換気扇を作動させる。
【０００４】
また、特許文献３には、複数の部屋のいくつかを暖房する床下暖房システムであって、床下の暖房装置と複数の開閉装置を組み合わせたシステムが開示されている。複数の開閉装置の夫々は、床下空間を仕切る複数の壁の夫々に設けられた通気口を開閉する。そのシステムは、暖房する部屋の位置に応じて、各開閉装置の開閉状態を決定し、暖房装置から床下の特定の通気口を通り、床吹き出し口から部屋へ至る空気のルートを変更する。
【先行技術文献】
【特許文献】
【０００５】
【特許文献１】特開２００７−０３２８８８号公報
【特許文献２】特開昭６３−０５４５５１号公報
【特許文献３】特開２０１２−１４０７５５号公報
【発明の概要】
【発明が解決しようとする課題】
【０００６】
ところで、近年は住居の各部屋にも換気装置が取り付けられることが増え、２４時間動作する換気装置や、タイマーで決まった時間に自動的に動作する換気装置がみられるようになってきた。換気装置が動作していると、暖房を作動させても部屋が暖まるのが遅くなってしまう。本明細書は、換気装置と暖房装置を組み合わせた空調システムに関し、換気装置の作動中に暖房装置を起動しても部屋を速やかに暖めることができる技術を提供する。
【課題を解決するための手段】
【０００７】
本明細書が開示する空調システムは、部屋を換気する換気装置と、部屋の空気を暖める暖房装置と、制御装置を備える。制御装置は、換気装置と暖房装置を制御する。その制御装置は、暖房装置を起動したときに換気装置が作動中の場合、（１）換気装置の換気能力を所定時間の間下げる、又は、（２）暖房装置の暖房能力を所定時間の間、換気装置が停止していた場合に実現予定の暖房能力よりも高める。制御装置が上記した（１）又は（２）の処理を実行することにより、換気装置の作動中に暖房装置を起動しても部屋を速やかに暖めることができる。なお、制御装置は上記（１）と（２）の処理のいずれか一方を実行するものであってよいし、（１）と（２）の双方を同時に実行するものであってもよい。本明細書が開示する技術の詳細とさらなる改良は以下の「発明を実施するための形態」にて説明する。
【図面の簡単な説明】
【０００８】
【図１】実施例の空調システム２のブロック図である。
【図２】制御装置が実行する処理のフローチャートである。
【図３】制御装置が実行する処理の変形例のフローチャートである。
【図４】制御装置が実行する処理の別の変形例のフローチャートである。
【発明を実施するための形態】
【０００９】
最初に、実施例の主要な特徴を列記しておく。なお、以下に記載する技術要素は、独立した技術要素であって、単独であるいは各種の組合せによって技術的有用性を発揮するものであり、出願時請求項記載の組合せに限定されるものではない。
【００１０】
制御装置は、暖房装置を起動した後の所定時間後に、暖房装置の設定温度と部屋の温度との差が所定の第１温度差閾値より大きい場合、部屋の換気状態の確認をユーザに促すメッセージを出力する。制御装置は、換気装置が作動中であれば換気装置の換気能力、あるいは暖房装置の暖房能力を調整するが、部屋の窓あるいはドアが開いていたり、故障等の原因で換気能力の調整ができなかったりすると、予定通りに部屋が暖まらない。そのような場合、制御装置は、部屋の換気状態（換気装置の状態を含む）の確認をユーザに促すメッセージを出力するとよい。ユーザに換気状態の確認を促し、ユーザがそのメッセージに従って換気状態を確認すれば、部屋が予定通りに暖まらない原因を早期に特定できる。
【００１１】
暖房装置の設定温度と暖房装置起動時の部屋の温度との差が所定の第２温度差閾値よりも小さい場合、あるいは、部屋の温度が所定の閾値温度よりも高い場合、制御装置は、前述した（１）と（２）のいずれの処理も実行せず、換気装置が停止していた場合と同じ処理を行うとよい。設定温度と部屋の温度との温度差が小さい場合には、換気能力あるいは暖房能力の調整をせずとも、部屋が速やかに温まることが期待できるからである。また、部屋の温度が所定の閾値温度よりも高い場合も、前述した（１）と（２）のいずれの処理をせずとも、換気が原因でユーザが寒さを感じる可能性は小さいからである。
【００１２】
暖房装置の一例は、温水を熱源とする床暖房装置である。本明細書が開示する技術は、特に、床暖房装置に好適である。床暖房装置は、床暖房端末が埋め込まれた床面などから部屋全体を間接的に暖める装置である。床暖房端末から室内空間への放熱量は、暖房開始時には、ファンヒータやエアコンなど直接に温かい空気を強制的に室内で対流させる装置と比較して、およそ１／１０程度である。床暖房端末の放熱量の一部は、床面、壁面、あるいは、床下面の温度を高めるのに費やされる。床暖房装置は、暖房開始後しばらくして床面や壁面や床下面が暖まるのにつれて、直接に温かい空気を対流させる暖房装置と同等の放熱量に近づいていく。床暖房装置では、暖房開始直後のしばらくの間、暖房能力を高める「ホットダッシュ」と呼ばれる機能を有するものがある。しかし、暖房開始時に換気装置が作動していると、床暖房端末から室内空間への放熱量が少なくなってしまい、部屋の空気が暖まるのが遅くなってしまう。その場合、部屋の温度がなかなか暖房装置の設定温度まで上昇せず、暖房装置の起動後に長い時間、ユーザが寒さを感じることになってしまう虞がある。本明細書が開示する技術は、暖房装置を起動したとき、上記した（１）、（２）のいずれかの処理を行うので、部屋全体を間接的に暖める床暖房装置に好適であり、換気装置の作動中に暖房装置（床暖房装置）を起動した場合に部屋の空気が暖まるのが遅れないようにすることが可能となる。なお、床暖房装置でも、部屋の温度が十分に高くなれば、床暖房端末から室内空間への放熱量は増加しているので、換気能力、あるいは、暖房能力を元に戻してよい。
【００１３】
（実施例）図面を参照して実施例の空調システム２を説明する。図１に、空調システム２のブロック図を示す。空調システム２は、建屋４０に備えられている。空調システム２は、暖房装置３と、換気装置５と、制御装置４を備えている。換気装置５は、建屋４０の部屋４１を換気する。暖房装置３は、部屋４１を暖める。制御装置４は、換気装置５と暖房装置３を制御する。図１における太線は、熱媒体を流す管を表している。また、図１における破線は電気通信線を表している。
【００１４】
まず、暖房装置３について説明する。暖房装置３は、ヒートポンプ１０と温水循環暖房器２０で構成されている。ヒートポンプ１０は、冷媒を循環させるための冷媒循環路１７と、一次熱交換器（蒸発器）１２と、圧縮器１４と、二次熱交換器（凝縮器）１５と、膨張弁１６を備えている。冷媒は、例えば、Ｒ３２や二酸化炭素（ＣＯ２）等である。一次熱交換器１２にはファン１３が備えられている。冷媒循環路１７は、二次熱交換器１５の中を通過している。また、一次熱交換器１２と、圧縮器１４と、膨張弁１６とは、冷媒循環路１７に組み込まれている。このような構成を備えるヒートポンプ１０を作動させることにより、二次熱交換器１５を通過する冷媒循環路１７内に高温高圧の冷媒を送り込むことができる。高温高圧の冷媒は、二次熱交換器１５にて、後述する暖房用水循環路３０の中の水を加熱する。
【００１５】
温水循環暖房器２０は、シスターン２１と、暖房用水循環路３０と、ガス熱源機２２と、床暖房端末２３を備えている。床暖房端末２３が、部屋４１の床下４１ａに配置されており、その熱により部屋４１を暖める。暖房用水循環路３０は、暖房往路３１と、暖房復路３４と、調整弁３５と、熱回収路３６と、バイパス路３７と、循環流路３８を備えている。暖房用水循環路３０は、シスターン２１内の水を循環させるための水路である。暖房用水循環路３０内の水は、ガス熱源機２２および／またはヒートポンプ１０によって加熱される。
【００１６】
シスターン２１は、上部が開放されている容器であり、内部に熱媒体である水を貯留している。シスターン２１には、循環流路３８の下流端と、暖房往路３１の上流端とが接続されている。シスターン２１の中の水は、暖房往路３１へと流れ出て、暖房用水循環路３０を巡って熱回収路３６又はバイパス路３７を経由して循環流路３８からシスターン２１へと戻る。
【００１７】
暖房往路３１は、上流端がシスターン２１に接続され、下流端が床暖房端末２３の入口に接続されている。暖房往路３１には、循環ポンプ３２が介装されている。循環ポンプ３２は、暖房往路３１内の水を下流側に送り出すポンプである。床暖房端末２３より上流側の暖房往路３１には、ガス熱源機２２が介装されている。ガス熱源機２２は、ガスを燃焼した熱によって暖房往路３１内の水を加熱する。ガス熱源機２２で加熱された水は、床暖房端末２３に供給される。また、暖房往路３１のガス熱源機２２の下流側には、サーミスタ３３が取り付けられている。サーミスタ３３は、ガス熱源機２２を通過した後の暖房往路３１内の水の温度を検知する。
【００１８】
床暖房端末２３は、暖房往路３１から供給される水の熱を利用して、部屋４１を暖める。暖房往路３１から供給される水は、暖房に利用されると、熱を奪われ、比較的低温の水となる。暖房に利用された後の比較的低温の水は、暖房復路３４に導入される。
【００１９】
暖房復路３４の下流端は、調整弁３５を介してバイパス路３７の上流端及び熱回収路３６の上流端に接続されている。熱回収路３６の下流端は、バイパス路３７の下流端と合流し、そこで循環流路３８の上流端に接続されている。熱回収路３６は、ヒートポンプ１０の二次熱交換器１５を通過している。ヒートポンプ１０を作動させると、熱回収路３６内の水が二次熱交換器１５で加熱される。
【００２０】
バイパス路３７は、上流端が調整弁３５を介して暖房復路３４の下流端及び熱回収路３６の上流端に接続され、下流端が熱回収路３６の下流端と合流し、そこで循環流路３８の上流端に接続されている。即ち、バイパス路３７は、二次熱交換器１５をバイパスする。
【００２１】
調整弁３５は、その開度を変化させることによって、熱回収路３６を通過する水の流量（二次熱交換器１５を通過する水の流量）と、バイパス路３７を通過する水の流量との割合を変化させることができる。調整弁３５には、例えば三方弁が用いられる。
【００２２】
部屋４１には、サーミスタ２６が設置されている。サーミスタ２６は、部屋４１の中の温度を検知する。制御装置４は、部屋４１の室温が暖房装置３の設定温度に一致するように、サーミスタ２６、３３（及び不図示の他のサーミスタ）の温度をモニタしつつ、暖房装置３（温水循環暖房器２０とヒートポンプ１０）を制御する。設定温度は、暖房装置３の不図示の入力装置を通じてユーザにより設定される。
【００２３】
換気装置５について説明する。換気装置５は、予め定められた時間帯、および／または、ユーザによる随時の起動により動作し、部屋４１を換気する。換気装置５の換気能力は、強、中、弱の３段階に設定可能である。予め定められた時間帯における換気能力は、時間帯を設定する際に同時に設定される。ユーザによる随時の起動時の換気能力は、換気装置５を起動する際にユーザが設定する。
【００２４】
制御装置４は、暖房装置３と換気装置５を制御する。制御装置４は、ユーザの指示により、あるいは予め設定されたタイマーにより暖房装置３を起動したときに換気装置５が既に動作していた場合、部屋４１が迅速に温まるように、暖房装置３と換気装置５の少なくとも一方の能力を調整する。図１に破線で示したように、換気装置５と制御装置４は、電気通信線（例えばＬＡＮ：Local Area Network）で接続されている。なお、換気装置５と暖房装置３と制御装置４は、ＨＥＭＳ（Home Energy Management System）と呼ばれるシステムの一部であってもよい。制御装置４は、電気通信線を介して換気装置５の状態を取得することができるとともに、換気装置５に指令を送信し、換気装置５を制御することができる。次に、制御装置４が実行する暖房装置３と換気装置５の制御について説明する。
【００２５】
ユーザは、暖房装置３の不図示の入力装置を操作し、部屋４１の設定温度Ｔｓを入力するとともに、暖房装置３の起動ボタンを押す。ユーザが暖房装置３の起動ボタンを押すと、制御装置４は、図２に示すフローチャートの処理を実行する。以下、図２のフローチャートに沿って制御装置４の処理を説明する。
【００２６】
制御装置４は、サーミスタ２６により、部屋４１の温度（室温Ｔｒ）を取得する（Ｓ２）。次に、制御装置４は、設定温度Ｔｓと室温Ｔｒとの温度差ｄＴ（＝Ｔｓ−Ｔｒ）を求め、温度差ｄＴに応じて給湯目標温度Ｔｗを決定し、暖房装置３（ヒートポンプ１０と温水循環暖房器２０）を起動する（Ｓ３）。制御装置４は、暖房用水循環路３０のガス熱源機２２の下流に設置したサーミスタ３３の計測温度が給湯目標温度Ｔｗに一致するように、ヒートポンプ１０と温水循環暖房器２０（ガス熱源機２２と循環ポンプ３２）を制御する。
【００２７】
制御装置４は、暖房装置３を起動した後、温度差フィードバック制御を実行する。温度差フィードバック制御の一例は次の通りである。制御装置４は、サーミスタ２６によって定期的に室温Ｔｒ（最新の室温Ｔｒ）を取得する。制御装置４は、最新の温度差ｄＴ（＝設定温度Ｔｓ−最新の室温Ｔｒ）に基づいて給湯目標温度Ｔｗを調整する。そして、制御装置４は、暖房用水循環路３０のガス熱源機２２の下流に設置したサーミスタ３３の計測温度が調整された給湯目標温度Ｔｗに一致するように、ヒートポンプ１０とガス熱源機２２を制御する。最新の温度差ｄＴが所定の温度差範囲内となったら制御装置４は暖房装置３を停止する。
【００２８】
ステップＳ３で暖房装置３を起動した後、制御装置４は、換気装置５が動作中か否かを判定する（Ｓ４）。換気装置５が動作中の場合（Ｓ４：ＹＥＳ）、制御装置４は、温度差ｄＴが初期温度差閾値ｄＴｈ１よりも小さいか否かをチェックする（Ｓ５）。温度差ｄＴが初期温度差閾値ｄＴｈ１以上の場合（Ｓ５：ＮＯ）、制御装置４は、暖房装置３の起動後３０分の間、換気装置５の換気能力を最低のレベルに下げる（Ｓ６）。先に述べたように、換気装置５の換気能力は、強、中、弱の３段階に設定可能である。「弱」が最低レベルの換気能力である。即ち、ステップＳ６では、制御装置４は、暖房装置３の起動後３０分の間、換気装置５の換気能力を「弱」に再設定する。なお、暖房装置３を起動したとき、換気装置４の換気能力が既に「弱」だった場合、制御装置４は、そのまま「弱」の設定を維持させる。
【００２９】
換気装置５の換気能力を最低レベルに下げた後（ステップＳ６の後）、３０分経過したら、制御装置４は、換気装置５の換気能力を元の強さ（暖房装置３を起動時の換気装置５の強さ）に戻す（Ｓ７）。そして制御装置４は、温度差ｄＴが許容温度差ｄＴｈ３となるまで暖房装置３を制御する（Ｓ８）。
【００３０】
なお、ステップＳ４の処理において換気装置５が動作中でない場合（Ｓ４：ＮＯ）、制御装置４は、ステップＳ６、Ｓ７をスキップし、ステップＳ８の処理に移行する。また、ステップＳ５の処理において温度差ｄＴが初期温度差閾値ｄＴｈ１よりも小さい場合、制御装置４は、ステップＳ６、Ｓ７の処理をスキップし、ステップＳ８の処理に移行する。即ち、制御装置４は、暖房装置３の設定温度Ｔｓと暖房装置起動時の室温Ｔｒとの差が初期温度差閾値ｄＴｈ１より小さい場合、ステップＳ６とＳ７の処理を実行せず、換気装置５が停止していた場合と同じ処理（即ち、ステップＳ４の判断がＮＯでステップＳ８へ移る処理）を行う。
【００３１】
制御装置４は、ステップＳ８の制御を実行中、暖房装置３を起動してから１時間後に設定温度Ｔｓとそのときの室温Ｔｒとの温度差ｄＴを、所定の温度差閾値（１時間後温度差閾値ｄＴｈ２）を比較する。温度差ｄＴが１時間後温度差閾値ｄＴｈ２よりも大きい場合、制御装置４は、部屋４１の換気状態の確認をユーザに促すメッセージを出力する。１時間後温度差閾値ｄＴｈ２は、暖房装置３の暖房能力と部屋４１の大きさに基づいて予め定められており、例えば５［℃］に設定されている。また、メッセージは、例えば、音声によりユーザに提示される。あるいは、メッセージは、ユーザが操作するリモコン（不図示）の画面に表示される。
【００３２】
上記した処理の利点を説明する。制御装置４は、暖房装置３を起動したとき、換気装置５が作動中であれば、暖房装置起動後の３０分間、換気装置５の換気能力を最低レベルに変更する（ステップＳ４−Ｓ６）。この処理により、換気装置５が動作中であっても部屋４１が暖まる速度が遅くなることが防止される。なお、制御装置４は、暖房装置３の設定温度Ｔｓと暖房装置起動時の部屋の温度（室温Ｔｒ）との差（温度差ｄＴ）が初期温度差閾値ｄＴｈ１より小さい場合、ステップＳ６、Ｓ７の処理をスキップし、換気装置５が停止していた場合と同じ処理を行う。温度差ｄＴが初期温度差閾値ｄＴｈ１より小さい場合、換気装置５の換気能力を低下させずとも、十分に早く室温Ｔｒが設定温度Ｔｓに近づくことが予想されるからである。なお、上記した「３０分」や「１時間」は、例示であり、これらと異なる長さの時間幅が設定されていてもよい。例えば、暖房装置起動後に換気装置５の換気能力を下げる時間幅は、室温Ｔｒと設定温度Ｔｓとの差が所定の許容範囲内に到達すると予想される時間幅に設定されてもよい。その場合、制御装置４は、室温Ｔｒと設定温度Ｔｓの値の組に対して、それらの温度差が許容範囲内となるまでの推定時間幅が定められたマップ（あるいは関係式）を記憶している。制御装置４は室温Ｔｒと設定温度Ｔｓに基づき、上記したマップ（あるいは関係式）を参照して時間幅を設定してもよい。
【００３３】
また、制御装置４は、暖房装置３を起動してから１時間後（所定時間後）に、暖房装置３の設定温度Ｔｓと部屋４１の温度（室温Ｔｒ）との差が所定の温度差閾値（１時間後温度差閾値ｄＴｈ２）より大きい場合、部屋４１の換気状態の確認をユーザに促すメッセージを出力する。室温が予定した通りに上昇しない場合、窓またはドアが開いているか、あるいは、換気装置５で異常が発生しており制御装置４から制御不能な状態になっている可能性がある。そのような場合、ユーザがメッセージに従って換気状態を確認すれば、部屋が予定通りに暖まらない原因を早期に発見することができる。なお、「換気状態の確認」には、換気装置５の異常の有無の確認が含まれてよい。
【００３４】
実施例の変形例を説明する。図３に変形例のフローチャートを示す。図３のフローチャートは、図２のフローチャートのステップＳ６とＳ７の処理を、ステップＳ１６とＳ１７に置き換えたものである。ステップＳ２−Ｓ５、Ｓ８の処理については図２の場合と同じであるので説明は省略する。なお、先に述べたように、制御装置４は、暖房装置３を起動後に次のフィードバック制御を行う。制御装置４は、サーミスタ２６によって定期的に室温Ｔｒ（最新の室温Ｔｒ）を取得する。制御装置４は、最新の温度差ｄＴ（＝設定温度Ｔｓ−最新の室温Ｔｒ）に基づいて給湯目標温度Ｔｗを調整する。そして、制御装置４は、暖房用水循環路３０のガス熱源機２２の下流に設置したサーミスタ３３の計測温度が調整された給湯目標温度Ｔｗに一致するように、ヒートポンプ１０とガス熱源機２２を制御する。
【００３５】
図３の変形例では、ステップＳ４の判断結果が「ＹＥＳ」であり、ステップＳ５の判断結果が「ＮＯ」の場合、暖房装置３の設定温度Ｔｓを５［℃］上げて給湯目標温度Ｔｗを補正し、上記したフィードバック制御を継続する（Ｓ１６）。設定温度Ｔｓを５［℃］上げると、暖房能力が高くなる。そして、３０分が経過したら、設定温度Ｔｓを元に戻して給湯目標温度Ｔｗを再設定し、上記したフィードバック制御を継続する（Ｓ１７）。すなわち制御装置４は、暖房装置３を起動したときに換気装置５が作動中の場合、暖房能力を３０分の間、換気装置５が停止していた場合に実現予定の暖房能力よりも高める。
【００３６】
図３のフローチャートの処理を実行する空調システム２は、換気装置５が動作中であっても換気装置５が停止中の場合と同様に速やかに部屋４１を暖めることができる。ステップＳ１６の「３０分」も一例であり、暖房装置３の暖房能力を一時的に高める時間幅は、３０分に限られない。
【００３７】
図２のステップＳ６の処理と同時にステップＳ１６の処理を実行し、図２のステップＳ７の処理と同時にステップＳ１７の処理を実行するようにしてもよい。実施例とその変形例の処理をまとめると、次の通りである。空調システム２の制御装置４は、暖房装置３を起動したときに換気装置５が作動中の場合、次の（１）の処理、又は（２）の処理を実行する。（１）換気装置５の換気能力を所定時間の間下げる。（２）暖房装置３の暖房能力を所定時間の間、換気装置５が停止していた場合に実現予定の暖房能力よりも高める。制御装置４は、上記（１）と（２）の双方を実行してもよい。
【００３８】
図４に、別の変形例のフローチャートを示す。図４のフローチャートは、図２のフローチャートのステップＳ５の処理を、ステップＳ２５に置き換えたものである。図４の変形例では、制御装置４は暖房装置３を起動後、ステップＳ２５において、室温Ｔｒが室温閾値を越えていたらステップＳ６、Ｓ７をスキップし、ステップＳ８の処理に移行する。室温閾値は、例えば、ユーザがあまり寒さを感じないであろうと推定される温度に設定される。より具体的には、例えば、室温閾値には１５℃が設定される。室温Ｔｒがそのような室温閾値を越えていた場合、換気装置５の換気能力を落とさずとも、速やかに室温Ｔｒが、ユーザが寒さを感じない程度に上昇することが期待できるからである。
【００３９】
実施例の空調システム２に関する留意点を述べる。実施例の暖房装置３は、温水を熱源として部屋４１の床下４１ａを暖めて部屋４１の全体を暖める温水循環暖房器２０とヒートポンプ１０を組み合わせた床暖房装置であった。本明細書が開示する技術は、床暖房装置以外の暖房装置、例えば電気ヒータを用いた暖房装置であってもよい。ただし、本明細書が開示する技術は、特に床暖房装置に適用するのが好適である。先に述べたように、床暖房装置は、直接に温かい空気を強制的に室内で対流させる装置ではなく、間接的に部屋を暖める暖房装置である。間接的に部屋を暖める床暖房装置の場合、特に暖房装置起動直後は換気の影響を受け易い。即ち、床暖房装置の場合、暖房装置起動時に換気装置が作動していると、暖房初期の室温の上昇率が抑えられてしまう。実施例で説明した技術は、床暖房装置を起動したときに換気装置が作動していることによる室温の上昇率低下を効果的に抑えることができる。
【００４０】
図２のフローチャートで説明した処理では、暖房装置３の起動後、ステップＳ６において、換気装置５の換気能力が既に最低レベルの「弱」だった場合、制御装置４は換気能力をそのまま維持する。本明細書が開示する技術では、暖房装置３を起動したときに換気装置５が作動中の場合、制御装置４は、（１）換気装置５の換気能力を所定時間の間下げる、あるいは、（２）暖房装置３の暖房能力を所定時間の間、換気装置５が停止していた場合に実現予定の暖房能力よりも高める。図２のフローチャートの場合、暖房装置３を起動したときに換気装置５が最低レベルで作動中の場合、制御装置４は上記（１）を実行しない。最低レベルの換気能力で動作中の場合には、換気が暖房に与える影響が小さいからである。ただし、暖房装置３を起動したときに換気装置５が最低レベル以外で作動中の場合、制御装置４は、上記（１）を実行する。このように、暖房装置３を起動したときに換気装置５が作動中の場合であっても制御装置４は、例外的に（１）を実行しないことがあってもよい。本明細書が開示する技術的思想には、換気装置５が最低レベルの換気能力で動作中には（１）を実行せず、最低レベル以外の換気能力で動作中に上記した（１）を実行する空調システムも含まれる。なお、図２のフローチャートの変形例として、ステップＳ６の処理において、制御装置４は、暖房装置３の起動後３０分間、換気装置５を停止させてもよい。
【００４１】
また、図２のフローチャートのステップＳ６の処理に代えて、起動後の３０分間、換気能力を一段階下げるようにしてもよい。即ち、制御装置４は、暖房装置３を起動したときに換気装置５が作動中の場合、換気装置５の換気能力を一段階下げるようにしてもよい。具体的には、制御装置４は、ステップＳ５において次の処理を実行してもよい。暖房装置３を起動したときに換気装置５が「強」の換気能力で作動中の場合、制御装置４は、換気装置５の換気能力を「中」に下げる。また、暖房装置３を起動したときに換気装置５が「中」の換気能力で作動中の場合、制御装置４は、換気装置５の換気能力を「低」に下げる。暖房装置３を起動したときに換気装置５が「低」の換気能力で作動中の場合、制御装置４は、以後、３０分の間、換気装置５を停止する。
【００４２】
暖房装置の中には、ホットダッシュ運転と呼ばれる処理を行うものがある。ホットダッシュ運転とは、暖房装置の起動後の所定時間の間、暖房装置の暖房能力を一時的に高める機能である（例えば、特開２００７−０８５６６２号公報）。本明細書が開示する技術は、ホットダッシュ運転の機能を備えた暖房装置も採用することができる。その場合、換気装置５が動作していた場合、制御装置は、例えば、暖房装置の設定温度を所定時間の間、換気装置５が停止していた場合に実現されるホットダッシュ運転の設定温度よりも５［℃］高める。
【００４３】
実施例の図１では、空調システム２の制御装置４を一つの矩形で表した。制御装置４は、物理的には複数の制御装置が通信線（例えばＬＡＮ）で通信可能に接続されて実現されるものであってもよい。例えば換気装置の制御装置と暖房装置の制御装置が個別に用意されており、それら２個の制御装置が通信線で接続されて互いに連携して実施例の制御装置４の機能を実現するものであってもよい。換気装置の制御装置と暖房装置の制御装置は、直接に通信を行うものであってもよいし、サーバなどを介して通信するものであってもよい。
【００４４】
実施例の「初期温度差閾値ｄＴｈ１」が請求項の「第２温度差閾値」の一例に相当する。初期温度差閾値ｄＴｈ１は、例えば５「℃」に設定される。実施例の「１時間後温度差閾値ｄＴｈ２」が、請求項の「第１温度差閾値」の一例に相当する。１時間後温度差閾値ｄＴｈ２は、例えば３「℃」に設定される。
【００４５】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４６】
２：空調システム
３：暖房装置
４：制御装置
５：換気装置
１０：ヒートポンプ
２２：ガス熱源機
２３：床暖房端末
２６、３３：サーミスタ
３０：暖房用水循環路
４０：建屋
４１：部屋
４１ａ：床下
４２：窓
【図１】
2017219245.tif 000003
【図２】
2017219245.tif 000004
【図３】
2017219245.tif 000005
【図４】
2017219245.tif 000006